(57)【要約】【課題】園芸用多段積層篩において、部材の共通化によるコスト削減を実現し、且つ篩い分け作業が行ない易い器具を提供する。【解決手段】開口部と下部開口部が同一形状の筒枠状本体部１の内部底面に網体載置部１１を設けると共に、内周面下部に開口部内に嵌合する舌片部１２を適宜間隔で垂設し、更に外周面の適宜位置に、発条体３の掛け止め受部１３を設けてなり、筒枠状本体部の内部底面に所望の大きさの網目を備えた網体２を装着した篩体を、所望段数積層し、上下積層した篩体を、両端に引掛部３１を設けた発条体３で掛け止め連結してなる。【選択図】  図１
0003119383.tif 000002
【実用新案登録請求の範囲】
【請求項１】
上部開口部と下部開口部が同一形状の筒枠状本体部の内部底面に網体載置部を設けると共に、内周面下部に開口部内に嵌合する舌片部を適宜間隔で垂設し、筒枠状本体部の内部底面に所望の大きさの網目を備えた網体を装着した篩体を、所望段数積層し、上下積層した篩体を、両端に引掛部を設けた発条体で掛け止め連結してなることを特徴とする園芸用多段積層篩。
【請求項２】
篩体の筒枠状本体部の外周面の適宜位置に、発条体の掛け止め受部を設けてなる請求項１記載の園芸用多段積層篩。
【考案の詳細な説明】
【技術分野】
【０００１】
本考案は、園芸用篩に関するものである。
【背景技術】
【０００２】
鉢植えの土などの粒の大きさの選別に篩が使用されるが、前記の選別を複数に区分けする場合には、網目の大きさが相違する網体を多段に積層して使用する手段が知られている。
【０００３】
前記手段を実施する篩として、特許文献１（実開昭５６−１７９７４号公報）には、筒状本体部内に多段（３段）の網体を内装し、各網体に対応して筒状本体の周面適宜箇所に選別物を取り出す取出口を設けている多段篩が開示されている。
【０００４】
また特許文献２（実開平３−３２９８０号公報）には、所定の筒状本体部内の底面に網目の相違する網体を備えた篩体を多段に積層する多段篩が示されている。
【０００５】
【特許文献１】実開昭５６−１７９７４号公報。
【特許文献２】実開平３−３２９８０号公報。
【考案の開示】
【考案が解決しようとする課題】
【０００６】
特許文献１に記載しているように単一の筒状本体部の内部に網体を多段に形成した場合には、当該網体で篩分けした選別物の取出口を設ける必要があり、この取出口に開閉扉（例えば実開昭５７−４７２７７号公報）を設けないと篩分け作業中に選別物が飛び出してしまう虞がある。しかも網目が固定するので、所望の粒度に区分けする篩い分けができない。
【０００７】
特許文献２記載の独立した篩体を多段に形成するものは、網目の大きさの選択組み合わせが可能であるが、篩い分け作業において積層した各篩体が積層状態を維持し、分離しないようにする必要があり、特許文献２記載の篩においては、筒状本体部を逆台形状に形成して積層する構成で、且つ上下積層した筒状本体部の外周面に連結バンドを設けている。
【０００８】
このように積層する各篩体の形状が上下積層位置で特定してしまうと、部材の共通化が困難であり、また外設する連結バンドも特定の構造となり、段数の選択が困難となる。
【０００９】
そこで本考案は、積層される各段の篩体を同一構造として、部材の共通化を図り、同時に簡易な構造で積層維持機能を備える新規な園芸用多段積層篩を提案したものである。
【課題を解決するための手段】
【００１０】
本考案に係る園芸用多段積層篩は、上部開口部と下部開口部が同一形状の筒枠状本体部の内部底面に網体載置部を設けると共に、内周面下部に開口部内に嵌合する舌片部を適宜間隔で垂設し、筒枠状本体部の内部底面に所望の大きさの網目を備えた網体を装着した篩体を、所望段数積層し、上下積層した篩体を、両端に引掛部を設けた発条体で掛け止め連結してなることを特徴とするものである。
【００１１】
而して区分けしようとする粒度に合わせた網目を備えた網体を装着した複数の篩体を、粗目側を上方にして、舌片部を下方側に位置する篩体の上部開口部に嵌合し、積層した篩体における上下端に位置する篩体の間を、発条体で掛け止めすることで積層篩体が一体化され、園芸土の篩い分けを実施し、発条体を外して篩体の積層を解除し、各篩体に残った選別物を取り出すものである。
【考案の効果】
【００１２】
本考案の構成は上記のとおりで、篩体を構成する筒枠状本体部を同一部材として使用することができ製造上の利便性を有し、また適宜な大きさの網目を備えた網体を組み合わせて簡単に所望の篩い分けを実施することができ、更に発条体の着脱で、積層篩体の一体化並びに分離が容易に行うことができ、篩い分け作業が効率的に実施できるものである。
【考案を実施するための最良の形態】
【００１３】
次に本考案の実施の形態について説明する。実施形態に示した園芸用多段積層篩は、複数の筒枠状本体部１（１ａ，１ｂ，１ｃ，１ｄ）と、異なる大きさの網目を備えた複数の網体２（２ａ，２ｂ，２ｃ，２ｄ）と、発条体３から構成される。
【００１４】
筒枠状本体部１は、上部開口部と下部開口部が同一形状の筒枠体で、内部底面下方に細横杆を架設して網体載置部１１を形成し、内周面下部に開口部内に密嵌合する舌片部１２を適宜間隔で垂設し、更に外周面の適宜位置に、発条体３の掛け止め受部１３を設けてなる。
【００１５】
網体２は、筒枠状本体部１の内周面の形状に対応した外縁部を備え、網目の大きさが異なる数種類のものを用意しておくものである。
【００１６】
発条体３は、引っ張りバネで形成され、両端に鉤状の引掛部３１を設けてなる。
【００１７】
而して前記の篩の使用手段は、篩い分けしようとする粒度に合わせた網目を備えた網体２を筒枠状本体部１に装着することで、単体の篩体として使用することができる。
【００１８】
また粒度に対応して複数に篩い分けを行う場合には、筒枠状本体部１に網体２を装着した篩体を積層するもので、積層は、最も細目の網体２ａを組み込んだ筒枠状本体部１ａを最下位置に置き、次の細かい網目の網体２ｂを組み込んだ筒枠状本体部１ｂを、下方に位置する筒枠状本体部１ａの上方開口部に舌片部１２を嵌合する。更に網目の細かいほうから粗いほうへと順次篩体を嵌合積層する。
【００１９】
嵌合積層された篩体における上端の筒状本体部１ｄの掛け止め受部１３と、下端に位置する筒状本体部１ａの掛け止め受部１３に、発条体３の引掛部を掛止し、積層篩体を一体化する。
【００２０】
そして粒度分別したい園芸土を最上部の篩体に入れ、篩い分け作業（手による振動付与）を実施すると、各網体２ａ，２ｂ，２ｃ，２ｄの網目に応じて、所定の粒度の小石・土（選別物）が各網体２ａ，２ｂ，２ｃ，２ｄ上に残る。
【００２１】
そこで発条体３を外し、各篩体の積層を解除し、網体上の選別物を篩体外に取り出す（放り出す）ものである。
【００２２】
従って複数の粒度分別を行なう積層篩体を、特に各篩体に取り出し口を設ける必要も無く、容易に積層組立並びに分解ができ、篩い分け作業を効率的に実施できるものである。
【図面の簡単な説明】
【００２３】
【図１】本考案の実施形態の篩体の説明図。
【図２】同一部切断した篩体の正面図。
【図３】同積層状態の篩体の正面図。
【符号の説明】
【００２４】
１      筒枠状本体部
１１    網体載置部
１２    舌片部
１３    掛け止め受部
２      網体
３      発条体
３１    引掛部
【図１】
0003119383.tif 000003
【図２】
0003119383.tif 000004
【図３】
0003119383.tif 000005